(57)【要約】【課題】  被浄化空気を送り込むためのダクトを少なくし、または無くすことができ、壁面に対して大きく突出せずに設置できる壁面緑化大気浄化装置、およびこれを用いたシステムを提供する。【解決手段】  この壁面緑化大気浄化装置１は、片面に植物２０が植えられる植物生育基盤２と、この植物生育基盤２の他の片面に沿う通気層３を形成した通気層形成部材４とを有する壁パネル状である。植物生育基盤２と通気層３との間にはメッシュ材５を介在させる。植物生育基盤２内には、この植物生育基盤２を複数の区画に分けて区画内の土壌の荷重を支持する通水可能な区画内土壌支持材６を介在させる。植物生育基盤２は、区画毎に個別の緑化ユニットとしても良い。【選択図】      図１
2014138577.tif 000002
【特許請求の範囲】
【請求項１】
片面に植物が植えられる植物生育基盤と、この植物生育基盤の他の片面に沿う通気層を形成した通気層形成部材とを有し、前記植物生育基盤と前記通気層との間に通気性部材を介在させ、前記植物生育基盤を複数の区画に分けて各区画毎に植物生育基盤材を支持する部材を設けた壁面緑化大気浄化装置。
【請求項２】
請求項１に記載の壁面緑化大気浄化装置において、前記植物生育基盤内に、前記植物生育基盤を複数の区画に分けて各区画毎に植物生育基盤材を支持する部材として、通水可能な区画内土壌支持材を介在させた壁面緑化大気浄化装置。
【請求項３】
請求項２に記載の壁面緑化大気浄化装置において、前記植物生育基盤および通気層に渡って外周を囲む外周フレームを設け、前記通気層形成部材は、前記外周フレームにおける前記通気層の厚さの部分と、前記外周フレームの前記植物生育基盤と反対側の開口部分を覆う裏面板とでなる薄箱状とした壁面緑化大気浄化装置。
【請求項４】
請求項１に記載の壁面緑化大気浄化装置において、前記植物生育基盤を複数の区画に分けて各区画毎に植物生育基盤材を支持する部材として、個々の区画の植物生育基盤部分の外周を囲む個別フレームを設け、これら各植物生育基盤部分と前記個別フレームとで緑化ユニットを構成する壁面緑化大気浄化装置。
【請求項５】
請求項１ないし請求項４のいずれか１項に記載の壁面緑化大気浄化装置において、前記通気層形成部材に、隣合う壁面緑化大気浄化装置の通気層と連通させる連通口を設けた壁面緑化大気浄化装置。
【請求項６】
請求項１ないし請求項５のいずれか１項に記載の壁面緑化大気浄化装置において、前記通気層内に被浄化空気を送り込むファンを設けた壁面緑化大気浄化装置。
【請求項７】
請求項１ないし請求項６のいずれか１項に記載の壁面緑化大気浄化装置を、互いに端面で接して複数並べて設け、複数の前記壁面緑化大気浄化装置の前記通気層へ被浄化空気を送り込むファンを設けた壁面緑化大気浄化システム。
【発明の詳細な説明】
【技術分野】
【０００１】
この発明は、壁面を緑化する機能と大気を清浄化する機能とを備えた壁面緑化大気浄化装置、およびこれを用いたシステムに関する。
【背景技術】
【０００２】
壁面緑化大気浄化装置は、立面となる壁面で緑化および大気の清浄を行うため、広い床面積を取らずに効率良く緑化および大気の清浄化を行える利点がある。従来、この種の壁面緑化大気浄化装置では、前面側に植物が植えられる複数の箱を互いに隣合うように配置することで壁面緑化を図り、ファンによって吸引される被浄化空気を、ダクトを介して前記各箱の背面へ送り込む構成とされている。送り込まれた被浄化空気は、各箱内を満たす土壌層等の植物生育基盤を通過することで浄化される。
【先行技術文献】
【特許文献】
【０００３】
【特許文献１】特許第５００１１４８号公報
【発明の概要】
【発明が解決しようとする課題】
【０００４】
上記した従来例の構成では、以下のような問題点が有る。
・緑化部となる各箱に被浄化空気を送り込むために多数のダクトが必要となる。
・ダクトから排出される被浄化空気を箱内に均等に押し込むために、箱の背面側に分散用の背面パネル等が別途必要である。
・ダクトが箱から露出していて経年劣化し、ダクトのメンテナンスが必要になる。
・ダクトの配管スペースが緑化部となる箱よりも大きくなる場合があり、壁面に密接して設置できない。
【０００５】
この発明の目的は、被浄化空気を送り込むためのダクトを少なくし、または無くすことができ、壁面に対して大きく突出せずに設置できる壁面緑化大気浄化装置、およびこれを用いたシステムを提供することである。
【課題を解決するための手段】
【０００６】
この発明の壁面緑化大気浄化装置は、片面に植物が植えられる植物生育基盤と、この植物生育基盤の他の片面に沿う通気層を形成した通気層形成部材とを有し、前記植物生育基盤と前記通気層との間に通気性部材を介在させ、前記植物生育基盤を複数の区画に分けて各区画毎に植物生育基盤材を支持する部材を設けたものである。
【０００７】
この構成によると、植物生育基盤に沿った通気層を形成する通気層形成部材を設け、通気層と植物生育基盤とを通気性部材で仕切ったため、被浄化空気を送り込むためのダクトを少なくし、または無くすことができる。前記通気層内で被浄化空気が植物生育基盤の背面全体に分散するため、背面側に分散用の別部材のパネル等を設けることも不要となる。通気層は植物生育基盤の背面の全体に渡って設けられるため、薄くても十分な通気が可能であり、通気層を設けても、壁面緑化大気浄化装置の全体の厚さが、あまり厚くならない。このように通気層が薄くでき、またダクトの配管スペースを背面に大きく取ることが不要なため、壁面から大きく突出せずに設置することができる。通気層への被浄化空気の送りを、通気層の端面に連通させたダクトから行うようにするか、またはこの壁面緑化大気浄化装置内に装備したファンから通気層へ直接に送るようにした場合は、壁面に密着してこの壁面緑化大気浄化装置が設置でき、壁面からの突出幅をより一層小さくできる。また、前記植物生育基盤を複数の区画に分けて各区画毎に植物生育基盤材を支持する部材を設けたため、土壌等の植物生育基盤材をその占有空間に偏りなく均等に分散させることができる。
【０００８】
この発明において、前記植物生育基盤内に、前記植物生育基盤を複数の区画に分けて各区画毎に植物生育基盤材を支持する部材として、通水可能な区画内土壌支持材を介在させても良い。区画内土壌支持材が通水可能な部材であると、区画を超えて灌水を行き渡らせることができるため、灌水が容易になる。
【０００９】
このように区画内土壌支持材を設ける場合に、前記植物生育基盤および通気層に渡って外周を囲む外周フレームを設け、前記通気層形成部材は、前記外周フレームにおける前記通気層の厚さの部分と、前記外周フレームの前記植物生育基盤と反対側の開口部分を覆う裏面板とでなる薄箱状としても良い。
通気層形成部材を薄箱状とすることで、コンパクトで、かつ複雑にダクトが並ぶことのない整然とした形状となる。
【００１０】
この発明において、前記植物生育基盤を複数の区画に分けて各区画毎に植物生育基盤材を支持する部材として、個々の区画の植物生育基盤部分の外周を囲む個別フレームを設け、これら各植物生育基盤部分と前記個別フレームとで緑化ユニットを構成しても良い。
壁面緑化システムの多くは、例えば３００〜５００mm角のユニットを連結するものであり、そのユニット一つ毎に通気層形成部材を設けるのでは、施工面，コスト面で効率が悪い。しかし、この発明では一つの通気層形成部材に対して複数の緑化ユニットを並べ、通気層形成部材を複数の緑化ユニットに共用させるため、施工面，コスト面で効率の良いものとなる。また、上記のような緑化ユニットを並べる構成とすることで、一般に市販されている緑化ユニットを、この壁面緑化大気浄化装置に利用することが容易となり、より一層の低コスト化が図れる。
【００１１】
この発明において、前記通気層形成部材に、隣合う壁面緑化大気浄化装置の通気層と連通させる連通口を設けても良い。
この連通口を設けることで、複数の壁面緑化大気浄化装置を、ダクトを用いずに前記連通口で連通させることができる。このため、広い面積に渡って壁面緑化大気浄化装置を配置する場合に、隣合う壁面緑化大気浄化装置を互いに接して配置でき、その場合にも壁面緑化大気浄化装置の背面等に装置の相互間を接続するダクトが不要となる。
【００１２】
この発明において、前記通気層内に被浄化空気を送り込むファンを設けても良い。
この構成の場合、ファンによって吸引された被浄化空気は通気層内に直接に送り込まれるので、ダクトは全く不要となる。
【００１３】
この発明の壁面緑化大気浄化装置システムは、この発明の壁面緑化大気浄化装置を、互いに端面で接して複数並べて設け、複数の前記壁面緑化大気浄化装置の前記通気層へ被浄化空気を送り込むファンを設けたものである。
この構成によると、複数の壁面緑化大気浄化装置が並ぶことで、より広い壁面緑化が行え、また大気浄化の能力が増大する。壁面緑化大気浄化装置を複数並べても、各壁面緑化大気浄化装置が植物生育基盤の背面に沿う通気層を有しているため、被浄化空気を植物生育基盤へ送り込むためのダクトを少なくし、または無くすことができる。
【発明の効果】
【００１４】
この発明の壁面緑化大気浄化装置は、片面に植物が植えられる植物生育基盤と、この植物生育基盤の他の片面に沿う通気層を形成した通気層形成部材とを有し、前記植物生育基盤と前記通気層との間に通気性部材を介在させ、前記植物生育基盤を複数の区画に分けて各区画毎に植物生育基盤材を支持する部材を設けたものであるため、被浄化空気を送り込むためのダクトを少なくし、または無くすことができ、壁面に対して大きく突出せずに設置できる。
【００１５】
この発明の壁面緑化大気浄化装置システムは、この発明の壁面緑化大気浄化装置を、互いに端面で接して複数並べて設け、複数の前記壁面緑化大気浄化装置の前記通気層へ被浄化空気を送り込むファンを設けたため、より広い壁面緑化が行え、大気浄化の能力も増大する。また、ダクトを少なくし、または無くすことができ、壁面に対して大きく突出せずに設置できる。
【図面の簡単な説明】
【００１６】
【図１】この発明の第１の実施形態にかかる壁面緑化大気浄化装置の縦断面図である。
【図２】同壁面緑化大気浄化装置の壁面への取付け状態を示す縦断面図である。
【図３】同壁面緑化大気浄化装置の植物生育基盤を除いて示す縦断面図である。
【図４】同壁面緑化大気浄化装置を複数並べて構成した壁面緑化大気浄化装置システムの一例を示す縦断面図である。
【図５】壁面緑化大気浄化装置システムの他の例を示す正面図である。
【図６】この発明の他の実施形態にかかる壁面緑化大気浄化装置の縦断面図である。
【図７】（Ａ）はこの発明のさらに他の実施形態にかかる壁面緑化大気浄化装置の縦断面図、（Ｂ）はその正面図である。
【図８】（Ａ）はこの発明のさらに他の実施形態にかかる壁面緑化大気浄化装置の縦断面図、（Ｂ）はその正面図である。
【図９】（Ａ）はこの発明のさらに他の実施形態にかかる壁面緑化大気浄化装置の縦断面図、（Ｂ）はその正面図である。
【図１０】この発明のさらに他の実施形態に係る壁面緑化大気浄化装置の概略斜視図である。
【図１１】同壁面緑化大気浄化装置の縦断面図である。
【発明を実施するための形態】
【００１７】
この発明の第１の実施形態を図１ないし図３と共に説明する。この壁面緑化大気浄化装置１は、図１に縦断面図で示すように、片面に植物２０が植えられる土壌層などの植物生育基盤２と、この植物生育基盤２の他の片面に沿う通気層３を形成した通気層形成部材４とを有する壁パネル状である。植物生育基盤２の前記片面側が緑化部分となる。植物生育基盤２と通気層３との間には通気性部材の一種であるメッシュ材５が介在させられる。植物生育基盤２の植物２０が植えられる片面も、別のメッシュ材１５で覆われる。植物生育基盤２内には、この植物生育基盤２を複数の区画に分けて区画内の土壌の荷重を支持する通水可能な区画内土壌支持材６が介在させられる。前記区画内土壌支持材６は例えばメッシュ材からなる。この区画内土壌支持材６を介在させることにより、植物生育基盤２を構成する土壌を、植物生育基盤２の占有空間に偏りなく均等に分散させることができる。植物生育基盤２を構成する土壌としては、例えば軽量土壌が用いられるが、このほかセラミックなどを用いても良い。前記メッシュ材５，１５、および区画内土壌支持材６は、例えば、メッキ加工したワイヤーを縦横に編んだワイヤーメッシュ等からなる。
【００１８】
なお、植物生育基盤２に用いる植物生育基盤材は、自然土壌の他に、バーク堆肥、ピートモス、ココイアダスト等の有機物系土壌改良材、或いはパーライト、バーミキューライト等の無機系土壌改良材等の様々な一般に流通する資材を適宜組み合わせた層としても良い。また、植物生育基盤２は、土壌の他に通気性を有するスポンジ状やフェルト状材であっても良い。
【００１９】
植物生育基盤２および通気層３に渡る外周は、方形の外周フレーム７で囲まれる。前記通気層形成部材４は、外周フレーム７における通気層３の厚さの部分７ａと、外周フレーム７の植物生育基盤２とは反対側の開口部分を覆う裏面板８とでなる薄箱状とされている。通気層３は、装置外に設置されるファン９とダクト１０を介して連通させられる。これにより、装置外の被浄化空気がファン９により吸引されダクト１０を経て通気層３内へ送り込まれる。送り込まれた被浄化空気は植物生育基盤２を通過することで浄化される。ダクト１０は、図示の例では通気層３に裏面で連結させているが、通気層３の側端面や上下面等で連通させても良い。
【００２０】
この壁面緑化大気浄化装置１の大きさの一例を説明する。図３は土壌を除いた状態を示す。全体の厚さ（奥行き）Ｄは、２００mm、通気層３の厚さは５０mmであり、高さＨは、２２５０mmである。幅（図示せず）は、例えば、建物のモジュールの１／２の整数倍であり、４４５mm〜１８２０mmである。なお、この寸法例は一例であり、任意に設計すれば良い。
【００２１】
この壁面緑化大気浄化装置１は、図２に縦断面図で示すように、植物生育基盤２の植物２０が植えられた片面側が前面となるように、建物の壁面２１に沿って配置され、支持部材２２を介して壁面２１に取付けられる。このように取付けることで、植物生育基盤２の片面に植えられる植物２０により壁面２１の緑化が図られる。
【００２２】
この構成の壁面緑化大気浄化装置１によると、このように、片面に植物２０が植えられる植物生育基盤２と、この植物生育基盤２の他の片面に沿う通気層３を形成した通気層形成部材４とを有する壁パネル状であり、植物生育基盤２と通気層３との間にメッシュ材５を介在させたため、通気層３を１本のダクト１０で装置外のファン９に連通させるだけで、ファン９によって吸引される被浄化空気を通気層３内に導入し、これを植物生育基盤２の全域に行き渡らせることができる。これにより、被浄化空気を送り込むためのダクト１０を最小限にできることから、ダクト１０の配管スペースを極力少なくでき、建物の壁面２１に略接して壁面緑化大気浄化装置１を設置でき、またダクト１０のメンテナンも殆ど必要なくなる。ダクト１０をこの壁面緑化大気浄化装置１の側端面で通気層３と連通するようにした場合は、背面を建物の壁面２１に密接させて設置することも可能となる。
【００２３】
図４は、この発明の他の実施形態の縦断面図を示す。この実施形態では、前記壁面緑化大気浄化装置１を、互いに端面で接するように複数並べて設けることで、壁面緑化大気浄化装置システム１１を構成している。ここでは、２つの壁面緑化大気浄化装置１を縦に並べて設けている。上下の壁面緑化大気浄化装置１，１が互いに接する端面となる各外周フレーム７には、互いの通気層３を連通させる連通口１２が設けられる。装置外に設置されるファン９は、１本のダクト１０を介して一方の壁面緑化大気浄化装置１（ここでは上側の壁面緑化大気浄化装置１）の通気層３に連通させられる。これにより、ファン９の吸引した被浄化空気はダクト１０から一方の壁面緑化大気浄化装置１の通気層３内へ、さらには前記連通口１２を経て他方の壁面緑化大気浄化装置１の通気層３内へと送り込まれる。各壁面緑化大気浄化装置１による作用効果は、図１に示した実施形態の場合と同様である。
【００２４】
このように、壁面緑化大気浄化装置システム１１を構成することにより、同一規格の壁面緑化大気浄化装置１を複数並べることで、１つの壁面緑化大気浄化装置１が担う壁面面積の数倍の壁面の緑化と大気浄化とが可能となる。
【００２５】
図５は、この発明のさらに他の実施形態の正面図を示す。この実施形態では、植物生育基盤２を縦横の区画内土壌支持材６で９つの区画に区分した１つの壁面緑化大気浄化装置１と、植物生育基盤２を区画内土壌支持材６で３つの区画に区分した他の１つの壁面緑化大気浄化装置１とを横並びに設置している。個々の壁面緑化大気浄化装置１では、各区画は裏面の通気層３で連通している。
２つの壁面緑化大気浄化装置１，１は、互いの隣接面に図４の例と同様な連通口１２（図５には図示せず）が設けられているが、その境界が縦長の仕切板１３で仕切られることで、通気層３が互いに遮断されている。この場合、各壁面緑化大気浄化装置１ごとの通気層３が、個別のダクト１０を介して装置外のファン９に連通させてある。各壁面緑化大気浄化装置１では、それらの通気層３を経て植物生育基盤２の全区画に被浄化空気が行き渡る。各壁面緑化大気浄化装置１による作用効果は、図１に示した実施形態の場合と同様である。
【００２６】
この実施形態においても、隣合う２つの壁面緑化大気浄化装置１，１の通気層３を、図４の実施形態のように連通口１２で連通させることで、１つの壁面緑化大気浄化装置システム１１を構成しても良い。このように、通気層３を連続させることで、上下左右のどちらにでも通気させることができ、また仕切板１３によって制限することもできる。
【００２７】
図６は、この発明のさらに他の実施形態の縦断面図を示す。この実施形態では、図１に示す壁面緑化大気浄化装置１において、植物生育基盤２の区画内土壌支持材６で複数に分けられた区画のうち、一部の区画を土壌の充填されない空区画１４としたものである。空区画１４における通気層３との仕切り材となるメッシュ材５の部分には密閉板１６が設けられ、これにより通気層３内に導入された被浄化空気がメッシュ材５から空区画１４を経て外部に洩れないようにされる。このように、植物生育基盤２となる区画の一部を空区画１４とすることにより、緑化部の一部を非緑化部とすることができ、例えば緑化部と非緑化部の組み合わせにより、所望のモザイク模様の施された緑化壁面とすることができる。
なお、空区画１４内の上端付近に位置して、区画内土壌支持材６の下面に対向する水受け〈図示せず〉を設けても良い。
【００２８】
図７（Ａ），（Ｂ）は、この発明のさらに他の実施形態の縦断面図および正面図を示す。この実施形態では、図１に示す壁面緑化大気浄化装置１において、植物生育基盤２となる複数区画のうちの一部の区画を図６の実施形態のように空区画１４とし、通気層３内に被浄化空気を送り込むファン９を前記空区画１４内に設けている。この空区画１４内には、ファン９の他に、このファン９を制御する電源制御盤１７が設けられる。また、ここでは、植物生育基盤２の上下の区画のうち、下側の区画がファン９および電源制御盤１７の設置される空区画１４とされているので、灌水した水が植物生育基盤２を通って空区画１４に滴下してくるのを受ける水受け部１８が空区画１４の上部側に設けられている。
【００２９】
この実施形態の場合、ファン９によって吸引された被浄空気は通気層３内に直接に送り込まれるので、図１の実施形態のようなダクト１０は全く不要となる。その他の作用効果は、図１の実施形態の場合と同様である。
【００３０】
図８（Ａ），（Ｂ）は、この発明のさらに他の実施形態の縦断面図および正面図を示す。この実施形態では、図７に示す壁面緑化大気浄化装置１において、区画内土壌支持材６で複数に分けられる植物生育基盤２の区画が、上下に４段、左右に３段の合計１２区画とされ、それらの区画のうち最下段の３つの区画がそれぞれファン９を設けた空区画１４とされている。各空区画１４内のファン９は、それぞれその上に縦に並ぶ３区画分の植物生育基盤２に対応する通気層３内に被浄化空気を送り込むようにされる。すなわち、植物生育基盤２に沿って設けられる通気層３は、縦に並ぶ３区画分を１つのエリアとして３つのエリアに仕切り板（図示せず）等で区分けされている。
【００３１】
なお、通気層３の厚み寸法を５０ｍｍとすると、通気層３は、１つのファン９に対して１０ｍ２程度までの緑化面積（植物生育基盤２の面積）を負担できるので、上記した縦に並ぶ３区画の合計面積が１０ｍ２ 程度であれば十分に対応できる。すなわち、ファン９の規模によって任意の緑化面積を負担できるので、その任意の緑化面積以内であれば対応できる。各空区画１４のうち中央の空区画１４には、３つのファン９の全てを制御する電源制御盤１７が設けられる。また、各空区画１４の上部側には水受け部１８がそれぞれ設けられる。その他の構成および作用効果は、図７の実施形態の場合と同様である。
【００３２】
図９（Ａ），（Ｂ）は、この発明のさらに他の実施形態の縦断面図および正面図を示す。この実施形態では、図７に示す壁面緑化大気浄化装置１において、区画内土壌支持材６で複数に分けられる植物生育基盤２の区画が、上下に３段、左右に３段の合計９区画とされ、それらの区画のうち中央の１区画がファン９を設けた空区画１４とされている。空区画１４内のファン９は、周囲に並ぶ８区画分の植物生育基盤２に対応する通気層３内に被浄化空気を送り込むようにされる。同じ空区画１４内には、ファン９を制御する電源制御盤１７と、水受け部１８とが設けられる。その他の構成および作用効果は、図７の実施形態の場合と同様である。
【００３３】
図１０，図１１は、この発明のさらに他の実施形態に係る壁面緑化大気浄化装置を示す。この例は、一つの通気層形成部材４Ａの前面に複数の緑化ユニット２Ａを上下左右に並べて構成される。各緑化ユニット２Ａは、前後が開口した箱状の個別フレーム３１内に土壌等の植物生育基盤材を充填したものである。すなわち、この例は、植物生育基盤２を複数の区画に分けて各区画毎に植物生育基盤材を支持する部材として、個々の区画の植物生育基盤部分２ａの外周を囲む個別フレーム３１を設けたものである。個別フレーム３１には、通気層形成部材４Ａの通気層３と植物生育基盤２との間に介在するメッシュ材５、および植物を植える面のメッシュ材１５が両面にそれぞれ設けられている。緑化ユニット２Ａは、密に並べても良く、また隙間を介して並べても良い。隙間を介して並べた場合、隣合う緑化ユニット２Ａの間の隙間を塞ぐスペーサ３３を設けても良い。緑化ユニット２Ａの寸法例を示すと、１辺が３００〜５００mmの正方形である。
【００３４】
通気層形成部材４Ａは、この例では、植物生育基盤２の外周を囲む部分はなく、通気層３のみを形成する薄箱状の部材である。通気層形成部材４Ａは、前面が開放され、背面にダクト１０が、通気層３と連通状態に接続される。通気層形成部材４Ａは、例えば鉄骨腕木３２を介して建物の壁面等に設置される。
なお、緑化ユニット２Ａは、この例では上下左右に並べているが、左右にのみ複数並べて設けても良く、また上下にのみ複数並べても良い。この実施形態において、特に説明した事項の他は、第１の実施形態と同様である。
【００３５】
この構成の場合のように、植物生育基盤２に一般的な緑化ユニット２Ａを用いることができ、また施工面、コスト面で優れたものとなる。壁面緑化システムの多くは、例えば３００〜５００mm角のユニットを連結するものであり、そのユニット一つ毎に通気層形成部材を設けるのでは、施工面，コスト面で効率が悪い。しかし、この実施形態では、一つの通気層形成部材４Ａに対して複数の緑化ユニット２Ａを並べ、通気層形成部材４Ａを複数の緑化ユニット２Ａに共用させるため、施工面，コスト面で効率の良いものとなる。また、上記のような緑化ユニット２Ａを並べる構成とすることで、一般に市販されている緑化ユニットを、この壁面緑化大気浄化装置に利用することが容易となり、より一層の低コスト化が図れる。
【００３６】
なお、図１０，図１１の構成の壁面緑化大気浄化装置を、図４〜図９の各例と同様に連結して壁面緑化大気浄化システムを構成してもよい。
【００３７】
なお、前記各実施形態では、植物生育基盤２の前面をメッシュ材１５で覆う構成としたが、メッシュ材１５の代わりに、植物生育基盤２の前面を壁面緑化前面パネル（図示せず）で覆っても良い。壁面緑化前面パネルは、植物が出る穴が予め開けられたものであっても良く、または、外周の一部に切れ目を入れることにより形成された突片を、外周のうちの切れ目の入っていない箇所で折り曲げることで、植物が出る穴を開けるものであっても良い。
【符号の説明】
【００３８】
１…壁面緑化大気浄化装置
２…植物生育基盤
２Ａ…緑化ユニット
２ａ…植物生育基盤部分
３…通気層
４…通気層形成部材
４Ａ…通気層形成部材
５…メッシュ材（通気性部材）
６…区画内土壌支持材
７…外周フレーム
８…裏面板
９…ファン
１０…ダクト
１１…壁面緑化大気浄化装置システム
１２…連通口
２０…植物
３１…個別フレーム
【図１】
2014138577.tif 000003
【図２】
2014138577.tif 000004
【図３】
2014138577.tif 000005
【図４】
2014138577.tif 000006
【図５】
2014138577.tif 000007
【図６】
2014138577.tif 000008
【図７】
2014138577.tif 000009
【図８】
2014138577.tif 000010
【図９】
2014138577.tif 000011
【図１０】
2014138577.tif 000012
【図１１】
2014138577.tif 000013